(57)【要約】【課題】位置情報を取得する手段を持たなくても、チャンネルスキャンの時間を短縮できるデジタル放送受信機を提供する。【解決手段】予め設定された物理チャンネルの中から受信可能な放送局の物理チャンネルを検出するチャンネルスキャンを行うチューナ３と、放送局とその送信チャンネルとの組ごとの同時に受信可能な放送局の物理チャンネルが設定された同時受信可能チャンネル情報を参照して、受信可能な放送局の物理チャンネルにスキャン対象の物理チャンネルを絞り込んで、チューナ３によるチャンネルスキャンを制御する制御部７１とを備える。【選択図】図１
2013038507.tif 000002
【特許請求の範囲】
【請求項１】
放送局から送信されたデジタル放送を受信するデジタル放送受信機において、
予め設定された物理チャンネルの中から受信可能な放送局の物理チャンネルを検出するチャンネルスキャンを行うチューナと、
放送局とその送信チャンネルとの組ごとの同時に受信可能な放送局の物理チャンネルが設定されたリスト情報を参照して、受信可能な放送局の物理チャンネルにスキャン対象の物理チャンネルを絞り込んで、前記チューナによるチャンネルスキャンを制御する制御部とを備えたことを特徴とするデジタル放送受信機。
【請求項２】
前記リスト情報には、放送局の放送エリアの広さに応じた優先順位を示す受信可能性情報が設定されており、
前記制御部は、前記受信可能性情報の優先順位に基づく順番で、前記チューナにチャンネルスキャンを行わせることを特徴とする請求項１記載のデジタル放送受信機。
【請求項３】
前記リスト情報には、放送エリアが重複する放送局を示すエリア重複情報が設定されており、
前記制御部は、前記エリア重複情報で放送エリアが重複する放送局のうちのいずれかの放送局が受信可能な局として検出された場合、前記チューナがスキャンを行うことなく、残りの放送局についても受信可能な局として検出されたものとみなすことを特徴とする請求項１または請求項２記載のデジタル放送受信機。
【発明の詳細な説明】
【技術分野】
【０００１】
この発明は、移動体用のデジタル放送受信機に係り、特に現在位置で受信可能な放送局をサーチして登録するチャンネルスキャン処理に関する。
【背景技術】
【０００２】
地上デジタル放送のＴＳ（トランスポートストリーム）信号は、ＩＳＯ／ＩＥＣ１３８１８−１により規定されている。これは、一般にＭＰＥＧ２トランスポートストリームと呼ばれている。ＴＳ信号には、映像および音声に加えて、チャンネル構成情報などの付加データも含まれる。
【０００３】
従来の地上デジタルテレビ受信機は、受信機の初期セットアップ時、あるいは移動体が地域を移動した際にチャンネルスキャンを行う。このとき、地上デジタル放送に割り当てられている周波数（ＵＨＦ１３〜ＵＨＦ６２）を順次走査し、受信可能なデジタルテレビ放送波であれば、それをチャンネル情報としてユーザプリセットに登録する。
【０００４】
また、特許文献１には、現在位置を含む地域に対応するチャンネルテーブルに基づいてチャンネルスキャンを行うことで、チャンネルスキャン対象を絞り込む放送信号受信装置が開示されている。これにより、効率良くチャンネルスキャンを行うことができる。
【先行技術文献】
【特許文献】
【０００５】
【特許文献１】特開２００５−８６３６７号公報
【発明の概要】
【発明が解決しようとする課題】
【０００６】
地上デジタル放送では、デジタル復調処理、または信号分離された付加データ内の放送局に固有な情報（例えば、放送局のネットワークＩＤ、ＴＳ＿ＩＤまたは放送局名など）を確認する処理を行う必要があるため、アナログ放送よりチャンネルスキャンが長時間化するという欠点がある。
このため、カーナビゲーション装置に接続あるいは内蔵されるデジタルＴＶチューナには、チャンネルスキャンを行わず、カーナビゲーション装置から得られる位置情報を利用して、現在受信可能な放送局にユーザプリセットを自動的に更新する機能（エリア選局機能）が提供されている。
【０００７】
しかしながら、このようなデジタルＴＶチューナであっても、カーナビゲーション装置と別筐体のデジタルＴＶチューナであると、エリア選局機能は、同一メーカーの一部製品同士でないと機能しない場合が多い。このため、デジタルＴＶチューナを単体で使用する場合には、依然としてチャンネルスキャンに時間がかかるという問題点がある。
また、特許文献１に代表される従来の技術では、現在位置情報を用いてスキャン対象を絞り込むため、ＧＰＳ（Global Positioning System）や携帯電話などから現在位置情報を取得することができない場合には適用することができない。
【０００８】
この発明は、上記のような課題を解決するためになされたもので、位置情報を取得する手段を持たなくても、チャンネルスキャンの時間を短縮できるデジタル放送受信機を得ることを目的とする。
【課題を解決するための手段】
【０００９】
この発明に係るデジタル放送受信機は、予め設定された物理チャンネルの中から受信可能な放送局の物理チャンネルを検出するチャンネルスキャンを行うチューナと、放送局とその送信チャンネルとの組ごとの同時に受信可能な放送局の物理チャンネルが設定されたリスト情報を参照して、受信可能な放送局の物理チャンネルにスキャン対象の物理チャンネルを絞り込んでチューナによるチャンネルスキャンを制御する制御部とを備える。
【発明の効果】
【００１０】
この発明によれば、チャンネルスキャンの時間を短縮することができる。
【図面の簡単な説明】
【００１１】
【図１】この発明の実施の形態１に係るデジタル放送受信機の構成を示すブロック図である。
【図２】実施の形態１に係るデジタル放送受信機によるチャンネルスキャン動作を示すフローチャートである。
【図３】放送エリアと現在位置の関係の一例を示す図である。
【図４】実施の形態１に係る同時受信可能チャンネル情報の一例を示す図である。
【図５】この発明の実施の形態２に係るデジタル放送受信機によるチャンネルスキャン動作を示すフローチャートである。
【図６】実施の形態２に係る同時受信可能チャンネル情報の一例を示す図である。
【図７】この発明の実施の形態３に係るデジタル放送受信機によるチャンネルスキャン動作を示すフローチャートである。
【図８】放送エリアと現在位置の関係の一例を示す図である。
【図９】実施の形態３に係る同時受信可能チャンネル情報の一例を示す図である。
【発明を実施するための形態】
【００１２】
実施の形態１．
図１は、この発明の実施の形態１に係るデジタル放送受信機の構成を示すブロック図であり、移動体（例えば車両）に搭載した移動体向けのデジタル放送受信機を示している。図１において、実施の形態１に係るデジタル放送受信機１は、アンテナ２、チューナ３、信号分離処理部４、ＡＶデコーダ５、ＯＳＤ（On Screen Display）重畳処理部６、ＣＰＵ７およびリモコン８を備える。アンテナ２で放送局から地上デジタル放送波を受信し、チューナ３がアンテナ２の受信信号からチューナ３で地上デジタル放送のＴＳ信号を出力する。なお、ＴＳ信号には、映像・音声データに加え、チャンネル構成情報などの付加データも含まれる。信号分離処理部４は、ＴＳ−ＤｅＭＵＸと呼ばれる処理部であり、ＴＳ信号から映像・音声データと付加データとを分離する。
【００１３】
信号分離処理部４に分離された映像・音声データは、ＡＶデコーダ５に出力され、付加データはＣＰＵ７に出力される。ＡＶデコーダ５は、信号分離処理部４から入力した映像・音声データをデコードしてＡＶ出力する。ＯＳＤ重畳処理部６は、ＣＰＵ７（制御部７１）から出力指示された文字情報や色情報の映像データを、ＡＶ出力された映像データに組み込む処理を行う。このＯＳＤ重畳処理部６により画面表示、メニュー画面表示などが実現される。
【００１４】
ＣＰＵ７は、後述するメモリ７２に記憶された制御プログラムを実行することにより、デジタル放送受信機１の動作を制御する構成部である。なお、制御プログラムを実行して実現される機能構成として、制御部７１、メモリ７２、チャンネル情報蓄積部７３および同時受信可能チャンネル情報参照部７４を備える。
【００１５】
制御部７１は、ＯＳＤ重畳処理部６を制御して不図示の表示部の画面上に操作メニュー画面等を提示して、ユーザ操作によるリモコン８からの信号に従い、ユーザに選択された操作に対応する動作を行う。例えば、チャンネルスキャンの実行が選択された場合には、物理チャンネルリストを基に、同時受信可能チャンネル情報を参照してスキャン対象を絞り込んでチャンネルスキャンをするようにチューナ３を制御する。
【００１６】
メモリ７２は、チャンネルスキャンの対象となる放送局（送信所）の物理チャンネルをリストアップした物理チャンネルリストを格納する記憶部である。チャンネル情報蓄積部７３は、チャンネルスキャンにより判別された受信可能なデジタル放送のチャンネル情報を登録するユーザプリセットを記憶する記憶部である。なお、チャンネル情報には、放送局（送信所）のある地域、チャンネル番号、放送の周波数等が含まれる。
【００１７】
同時受信可能チャンネル情報参照部７４は、制御部７１から同時受信可能チャンネル情報を参照可能に保持する構成部である。
同時受信可能チャンネル情報とは、放送局（送信所）と送信チャンネルとの組ごとに、同時に受信可能な放送局のリスト情報である。同時受信可能チャンネル情報は、放送局の放送エリア情報から予め作成される。
なお、放送エリア情報には、送信所からの放送波が届く放送エリアの情報、放送波の受信チャンネルおよびその送信所の位置、送信所から送信される放送波の出力の情報、放送局の系列局の情報などが含まれる。
【００１８】
次に動作について説明する。
図２は、実施の形態１に係るデジタル放送受信機によるチャンネルスキャン動作を示すフローチャートである。また、図３は、放送エリアと現在位置の一例を示す図であり、図４は、同時受信可能チャンネル情報の一例を示す図である。
以降では、デジタル放送受信機１を搭載した車両が、図３に示す放送エリアと現在位置の関係にあり、図４に示す同時受信可能チャンネル情報が、同時受信可能チャンネル情報参照部７４に保持されているものとして説明する。
【００１９】
まず、制御部７１は、地上デジタル放送に割り当てられている全てのチャンネル（ＵＨＦ１３〜ＵＨＦ６２）をスキャン対象の物理チャンネルに設定する（ステップＳＴ１）。これにより、メモリ７２の物理チャンネルリストに、ＵＨＦ１３〜ＵＨＦ６２までの物理チャンネルが登録される。
次に、制御部７１は、物理チャンネルリストの最初の物理チャンネル（ＵＨＦ１３）をチューナ３に設定する（ステップＳＴ２）。ＵＨＦ１３が、チャンネルスキャンでサーチを行う初期値となる。
制御部７１は、ステップＳＴ２の処理を実施すると、メモリ７１に格納される物理チャンネルリストを更新する（ステップＳＴ３）。すなわち、物理チャンネルリストからチューナ３に設定した物理チャンネル（ＵＨＦ１３）を除外する。
【００２０】
チューナ３は、アンテナ２を介して、制御部７１に設定された物理チャンネル（ＵＨＦ１３）のチャンネルスキャンを行う。制御部７１は、チューナ３のスキャン結果に基づき現在の物理チャンネル（ＵＨＦ１３）で放送の受信可否を判定する（ステップＳＴ４）。放送の受信ができなかった場合（ステップＳＴ５；ＮＯ）には、ステップＳＴ７の処理に移行する。ここでは、デジタル放送受信機１を搭載する車両が、放送エリアとの間で図３に示す位置関係にあるので、放送が受信され（ステップＳＴ５；ＹＥＳ）、物理チャンネル（ＵＨＦ１３）の放送局Ａが検出される。
【００２１】
ステップＳＴ６において、制御部７１は、同時受信可能チャンネル情報参照部７４が保持する同時受信可能チャンネル情報を参照して、メモリ７２の物理チャンネルリストを更新する。すなわち、制御部７１は、図４の同時受信可能チャンネル情報を参照して、受信できた放送局（放送局Ａ）と同時に受信できない放送局の物理チャンネルを、物理チャンネルリストから除外する。図４の例では、物理チャンネル（ＵＨＦ１３）の放送局Ａと同時に放送を受信できる可能性がある局の物理チャンネルは、ＵＨＦ２０、ＵＨＦ２５、ＵＨＦ３３、ＵＨＦ４０の４つである。従って、これ以外の物理チャンネルは、制御部７１によってメモリ７２の物理チャンネルリストから除外され、以降のチャンネルスキャンは行われない。
【００２２】
続いて、制御部７１は、メモリ７２の物理チャンネルリストを参照して、チャンネルスキャンが未実施の物理チャンネルがあるか否かを判定する（ステップＳＴ７）。このとき、未実施の物理チャンネルがなければ（ステップＳＴ７；ＮＯ）、チャンネルスキャン動作を終了する。また、未実施の物理チャンネルがある場合（ステップＳＴ７；ＹＥＳ）は、制御部７１が、物理チャンネルリストにおける次の物理チャンネルをチューナ３に設定し（ステップＳＴ８）、ステップＳＴ４からの処理を繰り返す。
【００２３】
ここでは、物理チャンネルＵＨＦ２０のチャンネルスキャンが実施されて、放送局Ｂが検出される。制御部７１は、図４に示す同時受信可能チャンネル情報を参照し、放送局Ａと放送局Ｂの双方と同時に受信できる可能性がある放送局の物理チャンネルがＵＨＦ２５のみであることから、これ以外の物理チャンネルを物理チャンネルリストから除外する。
同様に、物理チャンネルＵＨＦ２５のスキャンが実施されて、放送局Ｃが検出される。このとき、図４の同時受信可能チャンネル情報を参照すると、物理チャンネルＵＨＦ１３の放送局Ａ、物理チャンネルＵＨＦ２０の放送局Ｂ、および物理チャンネルＵＨＦ２５の放送局Ｃの３つと同時に受信できる可能性のある放送局の物理チャンネルは存在しないため、チャンネルスキャンが終了する。
【００２４】
以上のように、この実施の形態１によれば、予め設定された物理チャンネルの中から受信可能な放送局の物理チャンネルを検出するチャンネルスキャンを行うチューナ３と、放送局とその送信チャンネルとの組ごとの同時に受信可能な放送局の物理チャンネルが設定された同時受信可能チャンネル情報を参照して、受信可能な放送局の物理チャンネルにスキャン対象の物理チャンネルを絞り込んで、チューナ３によるチャンネルスキャンを制御する制御部７１とを備える。
このように構成することで、地上デジタル放送に割り当てられた全ての物理チャンネルについてチャンネルスキャンを行う場合に比べて、スキャン対象となる物理チャンネルを大幅に削減することが可能であり、チャンネルスキャン時間を格段に短縮することが可能である。また、現在位置情報が不要であるので、ＧＰＳや携帯電話等から位置情報を取得することができない構成においても適用できる。
【００２５】
実施の形態２．
上記実施の形態１では、最初に受信可能な放送局が検出されるまで物理チャンネルリストの物理チャンネルを順次スキャンしていく必要がある。このため、チャンネルスキャンを行う順番が若い物理チャンネルで受信可能な放送局が検出できない場合、放送局を最初に検出するまでの時間がかかる場合がある。
そこで、この実施の形態２では、放送エリアの広さに応じた優先順位を、同時受信可能チャンネル情報に設定し、上記優先順位が高い物理チャンネルからチャンネルスキャンを実施する。このようにすることで、受信されやすい（放送局が検出されやすい）物理チャンネルからスキャンを行うことができ、チャンネルスキャンの時間をさらに短縮することが可能である。
【００２６】
実施の形態２に係るデジタル放送受信機の基本的な構成は、上記実施の形態１で図１を用いて説明したものと同様である。実施の形態２では、同時受信可能チャンネル情報に、放送エリアの広さに応じた優先順位が、受信可能性情報として付与される。従って、デジタル放送受信機の構成については、図１を参照するものとする。
【００２７】
次に動作について説明する。
図５は、この発明の実施の形態２に係るデジタル放送受信機によるチャンネルスキャン動作を示すフローチャートである。また、図６は、実施の形態２に係る同時受信可能チャンネル情報の一例を示す図である。
以降では、デジタル放送受信機１を搭載した車両が、図３に示す放送エリアと現在位置の関係にあり、図６に示す同時受信可能チャンネル情報が、同時受信可能チャンネル情報参照部７４に保持されているものとして説明する。
【００２８】
まず、制御部７１は、地上デジタル放送に割り当てられている全てのチャンネル（ＵＨＦ１３〜ＵＨＦ６２）をスキャン対象の物理チャンネルに設定する（ステップＳＴ１ａ）。これにより、メモリ７２の物理チャンネルリストに、ＵＨＦ１３〜ＵＨＦ６２までの物理チャンネルが登録される。
次に、制御部７１は、同時受信可能チャンネル情報参照部７４が保持する同時受信可能チャンネル情報を参照し、当該同時受信可能チャンネル情報における受信可能性情報から最も受信可能性の高い物理チャンネルをチューナ３に設定する（ステップＳＴ２ａ）。
図３の例では、放送局Ａの放送エリアが最も広いので、図６に示すように放送局Ａの物理チャンネルＵＨＦ１３が最も優先順位が高い。従って、制御部７１は、物理チャンネルリストの物理チャンネル（ＵＨＦ１３）をチューナ３に設定する（ステップＳＴ２ａ）。
制御部７１は、ステップＳＴ２ａの処理を実施すると、メモリ７１に格納される物理チャンネルリストの更新処理を行う（ステップＳＴ３ａ）。すなわち、物理チャンネルリストからチューナ３に設定した物理チャンネルＵＨＦ１３を除外する。
【００２９】
チューナ３は、アンテナ２を介して、制御部７１に設定された物理チャンネル（ＵＨＦ１３）のスキャンを行う。制御部７１は、チューナ３のスキャン結果に基づき現在の物理チャンネル（ＵＨＦ１３）で放送の受信可否を判定する（ステップＳＴ４ａ）。放送の受信ができなかった場合（ステップＳＴ５ａ；ＮＯ）には、ステップＳＴ７ａの処理に移行する。ここでは、デジタル放送受信機１を搭載する車両が、放送エリアとの間で図３に示す位置関係にあるので、放送が受信され（ステップＳＴ５ａ；ＹＥＳ）、物理チャンネル（ＵＨＦ１３）の放送局Ａが検出される。
【００３０】
ステップＳＴ６ａにおいて、制御部７１は、同時受信可能チャンネル情報参照部７４が保持する同時受信可能チャンネル情報を参照して、メモリ７２の物理チャンネルリストを更新する。すなわち、制御部７１は、図６の同時受信可能チャンネル情報を参照して、受信できた放送局（放送局Ａ）と同時に受信できない放送局の物理チャンネルを、物理チャンネルリストから除外する。図６の例では、物理チャンネルＵＨＦ１３の放送局Ａと同時に放送を受信できる可能性がある局の物理チャンネルは、ＵＨＦ２０、ＵＨＦ２５、ＵＨＦ３３、ＵＨＦ４０の４つである。従って、これ以外の物理チャンネルは、制御部７１によってメモリ７２の物理チャンネルリストから除外され、以降のチャンネルスキャンは行われない。
【００３１】
続いて、制御部７１は、メモリ７２の物理チャンネルリストを参照して、チャンネルスキャンが未実施の物理チャンネルがあるか否かを判定する（ステップＳＴ７ａ）。このとき、未実施の物理チャンネルがなければ（ステップＳＴ７ａ；ＮＯ）、チャンネルスキャン動作を終了する。
一方、未実施の物理チャンネルがある場合（ステップＳＴ７ａ；ＹＥＳ）、制御部７１は、同時受信可能チャンネル情報における受信可能性情報を参照して、物理チャンネルリストの次に優先順位が高い物理チャンネルをチューナ３に設定し（ステップＳＴ８ａ）、ステップＳＴ４ａからの処理を繰り返す。
【００３２】
ここでは、２番目に受信可能性が高い物理チャンネルの中から、最もチャンネルが若い物理チャンネルＵＨＦ２５のチャンネルスキャンが実施されて、放送局Ｃが検出される。
制御部７１は、図６に示す同時受信可能チャンネル情報を参照し、放送局Ａと放送局Ｃの双方と同時に受信できる可能性がある放送局の物理チャンネルがＵＨＦ２０のみであることから、これ以外の物理チャンネルを物理チャンネルリストから除外する。
同様に、物理チャンネルＵＨＦ２０のスキャンが実施されて、放送局Ｂが検出される。このとき、図６の同時受信可能チャンネル情報を参照すると、物理チャンネルＵＨＦ１３の放送局Ａ、物理チャンネルＵＨＦ２０の放送局Ｂ、および物理チャンネルＵＨＦ２５の放送局Ｃの３つと同時に受信できる可能性のある放送局の物理チャンネルは存在しないため、チャンネルスキャンが終了する。
【００３３】
以上のように、この実施の形態２によれば、同時受信可能チャンネル情報には、放送局の放送エリアの広さに応じた優先順位を示す受信可能性情報が設定されており、制御部７１が、受信可能性情報の優先順位に基づく順番で、チューナ３にチャンネルスキャンを行わせる。このようにすることで、チャンネルスキャンのサーチを行う順番を受信可能性が高い順に設定されることから、最初に受信可能な放送局を検出するまでの時間を短縮できる。
【００３４】
実施の形態３．
実施の形態３では、放送エリアが重複する複数の放送局を示す情報（エリア重複情報）を同時受信可能チャンネル情報に付与し、互いの放送エリアが重複する放送局について、そのいずれかの放送局が検出されると、残りの放送局はスキャンすることなく、受信可能な放送局に設定する。これにより、チャンネルスキャン時間をさらに短縮することができる。
【００３５】
実施の形態３に係るデジタル放送受信機の基本的な構成は、上記実施の形態１で図１を用いて説明したものと同様である。実施の形態３では、同時受信可能チャンネル情報に、放送エリアが重複する放送局を示すエリア重複情報が付与される。従って、デジタル放送受信機の構成については、図１を参照するものとする。
【００３６】
次に動作について説明する。
図７は、この発明の実施の形態３に係るデジタル放送受信機によるチャンネルスキャン動作を示すフローチャートである。また、図８は放送エリアと現在位置の一例を示す図であり、図９は、実施の形態３に係る同時受信可能チャンネル情報の一例を示す図である。
以降では、デジタル放送受信機１を搭載した車両が、図８に示す放送エリアと現在位置の関係にあり、図９に示す同時受信可能チャンネル情報が、同時受信可能チャンネル情報参照部７４に保持されているものとして説明する。
【００３７】
まず、制御部７１は、地上デジタル放送に割り当てられている全てのチャンネル（ＵＨＦ１３〜ＵＨＦ６２）をスキャン対象の物理チャンネルに設定する（ステップＳＴ１ｂ）。これにより、メモリ７２の物理チャンネルリストにＵＨＦ１３〜ＵＨＦ６２までの物理チャンネルが登録される。
次に、制御部７１は、物理チャンネルリストの最初の物理チャンネル（ＵＨＦ１３）をチューナ３に設定する（ステップＳＴ２ｂ）。ＵＨＦ１３が、チャンネルスキャンでサーチを行う初期値となる。
制御部７１は、ステップＳＴ２ｂの処理を実施すると、メモリ７１の物理チャンネルリストを更新する（ステップＳＴ３ｂ）。すなわち、物理チャンネルリストからチューナ３に設定した物理チャンネル（ＵＨＦ１３）を除外する。
【００３８】
チューナ３は、アンテナ２を介して制御部７１に設定された物理チャンネル（ＵＨＦ１３）のチャンネルスキャンを行う。制御部７１は、チューナ３のスキャン結果に基づき、現在の物理チャンネル（ＵＨＦ１３）で放送の受信可否を判定する（ステップＳＴ４ｂ）。放送の受信ができなかった場合（ステップＳＴ５ｂ；ＮＯ）、ステップＳＴ８ｂの処理に移行する。ここでは、デジタル放送受信機１を搭載する車両が、放送エリアとの間で図８に示す位置関係にあるので、放送が受信され（ステップＳＴ５ｂ；ＹＥＳ）、物理チャンネル（ＵＨＦ１３）の放送局Ａが検出される。
【００３９】
ステップＳＴ６ｂにおいて、制御部７１は、同時受信可能チャンネル情報参照部７４が保持する同時受信可能チャンネル情報を参照して、メモリ７２の物理チャンネルリストを更新する。すなわち、制御部７１は、図９に示す同時受信可能チャンネル情報を参照し、受信できた放送局（放送局Ａ）と同時に受信できない放送局の物理チャンネルを、物理チャンネルリストから除外する。図９の例では、物理チャンネルＵＨＦ１３の放送局Ａと同時に放送を受信できる可能性がある局の物理チャンネルは、ＵＨＦ２０、ＵＨＦ２５、ＵＵＨＦ３０、ＨＦ３３、ＵＨＦ４０の４つである。これ以外の物理チャンネルは、制御部７１によりメモリ７２の物理チャンネルリストから除外され、以降のチャンネルスキャンは行われない。
【００４０】
続いて、制御部７１は、同時受信可能チャンネル情報におけるエリア重複情報を参照して、放送エリアが重複している放送局があれば、その局をユーザプリセットへの登録対象とし、その物理チャンネルをメモリ７２の物理チャンネルリストから除外する（ステップＳＴ７ｂ）。図９の例では、放送局Ａと物理チャンネルＵＨＦ３０の放送局Ｆとが互いに放送エリア＃０となっている。このため、放送局Ｆについては、スキャンすることなく、受信可能な放送局として検出されたものとする。
【００４１】
この後、制御部７１は、メモリ７２の物理チャンネルリストを参照して、チャンネルスキャンが未実施の物理チャンネルがあるか否かを判定する（ステップＳＴ８ｂ）。このとき、未実施の物理チャンネルがなければ（ステップＳＴ８ｂ；ＮＯ）、チャンネルスキャン動作を終了する。また、未実施の物理チャンネルがある場合（ステップＳＴ８ｂ；ＹＥＳ）は、制御部７１が、物理チャンネルリストにおける次の物理チャンネルをチューナ３に設定し（ステップＳＴ９ｂ）、ステップＳＴ４ｂからの処理を繰り返す。
【００４２】
ここでは、物理チャンネルＵＨＦ１３の次の物理チャンネルＵＨＦ２０のスキャンが実施されて、放送局Ｂが検出される。制御部７１は、図９に示す同時受信可能チャンネル情報を参照し、放送局Ａ、放送局Ｆおよび放送局Ｂのいずれとも同時に受信できる可能性がある放送局の物理チャンネルがＵＨＦ２５のみであることから、これ以外の物理チャンネルを物理チャンネルリストから除外する。
同様に、物理チャンネルＵＨＦ２５のスキャンが実施されて、放送局Ｃが検出される。このとき、図９の同時受信可能チャンネル情報を参照すると、物理チャンネルＵＨＦ１３の放送局Ａ、物理チャンネルＵＨＦ３０の放送局Ｆ、物理チャンネルＵＨＦ２０の放送局Ｂ、および物理チャンネルＵＨＦ２５の放送局Ｃの３つと同時に受信できる可能性のある放送局の物理チャンネルは存在しないため、チャンネルスキャンが終了する。
【００４３】
以上のように、この実施の形態３によれば、同時受信可能チャンネル情報には、放送エリアが重複する放送局を示すエリア重複情報が設定されており、制御部７１が、エリア重複情報で放送エリアが重複することが示された放送局のうちのいずれかの放送局が受信可能な局として検出された場合、チューナ３がスキャンを行うことなく、残りの放送局についても受信可能な局として検出されたものとみなす。
このようにすることで、放送エリアが重複する放送局については、そのいずれかの放送局が受信可能な局として検出されたときに、残りの放送局についても受信可能な局としてユーザプリセットへ登録される。これにより、実際のサーチ動作を省略することができ、チャンネルスキャン時間を短縮することができる。
【００４４】
なお、上記実施の形態３は、上記実施の形態１と組み合わせた場合について示したが、上記実施の形態２に適用してもかまわない。すなわち、最初にチャンネルスキャンする物理チャンネルは、受信可能性情報で優先順位が最も高いものを選択し、この後のスキャンでは、受信可能性情報およびエリア重複情報をともに参照して、放送エリアが重複する放送局があれば、そのうち、スキャンした放送局以外の放送局もユーザプリセットへの登録対象とする。
【００４５】
また、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４６】
１  デジタル放送受信機、２  アンテナ、３  チューナ、４  信号分離処理部、５  ＡＶデコーダ、６  ＯＳＤ重畳処理部、７  ＣＰＵ、８  リモコン、７１  制御部、７２  メモリ、７３  チャンネル情報蓄積部、７４  同時受信可能チャンネル情報参照部。
【図１】
2013038507.tif 000003
【図２】
2013038507.tif 000004
【図３】
2013038507.tif 000005
【図４】
2013038507.tif 000006
【図５】
2013038507.tif 000007
【図６】
2013038507.tif 000008
【図７】
2013038507.tif 000009
【図８】
2013038507.tif 000010
【図９】
2013038507.tif 000011